(57)【特許請求の範囲】
【請求項１】
光源と、
前記光源の下方に設置される矩形の固定枠と、
前記固定枠の下方に対向配置されて透光部材により覆われる矩形の本体枠と、
前記固定枠及び前記本体枠の一方辺部側に配置されて、長さの異なる第１の連結杆及び第２の連結杆により、前記固定枠の前記一方辺部に接続される一対の対向する側辺部と前記本体枠の前記一方辺部に接続される一対の対向する側辺部とをそれぞれ連結するヒンジと、
前記固定枠及び前記本体枠の他方辺部側に配置されて、前記固定枠に対して前記本体枠を脱着可能に係止する開閉係止留具と、
前記一方辺部の近傍において、前記固定枠の各側辺部に対して前記本体枠の各側辺部を保持する保持部材と、
を有し、
前記保持部材は、
前記固定枠及び前記本体枠の何れか一方の前記側辺部に設けられて、当該側辺部の延在方向に向けて延びる棒状部材と、
前記固定枠及び前記本体枠の何れか他方の前記側辺部に設けられて、当該側辺部から前記固定枠及び前記本体枠の何れか一方側に向けて延びる一対のアーム部により、前記固定枠及び前記本体枠の何れか一方側から前記棒状部材を保持する捕捉部材と、
を備えることを特徴とする照明装置。
【請求項２】
前記棒状部材は、前記他方辺部側から片持ち支持されて前記一方辺部側に向けて延びることを特徴とする請求項１に記載の照明装置。
【請求項３】
前記一対のアーム部は、
前記固定枠及び前記本体枠の何れか他方側に向けて延び、前記棒状部材の直径と略同じ間隔、又は、前記棒状部材の直径よりも狭い間隔をあけて配置される一対の側壁部と、
前記各側壁部の先端縁に形成されて、前記固定枠及び前記本体枠の何れか他方側に向けて互いの間隔が狭まる一対の保持部と、
前記各保持部の先端縁に形成されて、前記固定枠及び前記本体枠の何れか他方側に向けて互いの間隔が広がる一対の受部と、
を備えることを特徴とする請求項１又は２に記載の照明装置。
【請求項４】
前記棒状部材は、前記固定枠及び前記本体枠の何れか一方の幅内に収まる寸法であり、
前記捕捉部材は、前記固定枠及び前記本体枠の何れか他方の幅内に収まる寸法であることを特徴とする請求項１〜３の何れか１項に記載の照明装置。
【請求項５】
前記ヒンジは、
前記第１の連結杆及び前記第２の連結杆が一体的に連結されて前記固定枠に固定される第１の接続部材と、
前記第１の連結杆及び前記第２の連結杆が一体的に連結されて前記本体枠に固定される第２の接続部材と、
を更に備え、
前記棒状部材は、前記第１の接続部材及び前記第２の接続部材の何れか一方に取り付けられるとともに、前記第１の接続部材及び前記第２の接続部材の何れか一方の幅内に収まる寸法であり、
前記捕捉部材は、前記第１の接続部材及び前記第２の接続部材の何れか他方に取り付けられるとともに、前記第１の接続部材及び前記第２の接続部材の何れか他方の幅内に収まる寸法であることを特徴とする請求項１〜４の何れか１項に記載の照明装置。
【請求項６】
前記捕捉部材は、鋼製の板状部材を屈曲して形成したものであることを特徴とする請求項１〜５の何れか１項に記載の照明装置。
【発明の詳細な説明】
【技術分野】
【０００１】
この発明は、ギャラリーやエントランスなどに設置される照明装置に関する。
【背景技術】
【０００２】
従来、ギャラリーやエントランスなどに設置される照明装置として、多数の蛍光管と、天井に固定された固定枠（下地枠）と、固定枠の下方に重ねて設置されて透光材が覆われる本体枠とにより構成されたものが知られている。この照明装置は、蛍光管の交換などの保守点検のために、本体枠が固定枠に対して開閉可能に連結されている。
【０００３】
特許文献１に記載された照明装置では、この保守点検時などにおいて本体枠の開閉を円滑にするために、下地枠と本体枠とを連結するヒンジ手段として、本体枠の一側辺を挟んで対向する両側辺と下地枠の両側辺とに、アーム連結手段を介して、それぞれ一対のアームにより構成されるヒンジを取り付け、本体枠の他側辺と下地枠の他側辺とをロック機構により固定している。
【先行技術文献】
【特許文献】
【０００４】
【特許文献１】実用新案登録第３１０６９４８号公報
【発明の概要】
【発明が解決しようとする課題】
【０００５】
しかしながら、特許文献１に記載の照明装置では、下地枠と本体枠とを連結するヒンジが、それぞれ回転可能な２本のアームにより構成されているため、本体枠の自重により下方向に開こうとする力が働き、本体枠が３〜５ｍｍ程度降下して垂れ下がるという問題があった。この場合、天井面を平滑にするために、種々の調整が必要であった。
【０００６】
そこで、本発明は、本体枠の垂れ下がりを防止することができる照明装置を提供することを目的とする。
【課題を解決するための手段】
【０００７】
本発明に係る照明装置は、光源と、光源の下方に設置される矩形の固定枠と、固定枠の下方に対向配置されて透光部材により覆われる矩形の本体枠と、固定枠及び本体枠の一方辺部側に配置されて、長さの異なる第１の連結杆及び第２の連結杆により、固定枠の一方辺部に接続される一対の対向する側辺部と本体枠の一方辺部に接続される一対の対向する側辺部とをそれぞれ連結するヒンジと、固定枠及び本体枠の他方辺部側に配置されて、固定枠に対して本体枠を脱着可能に係止する開閉係止留具と、一方辺部の近傍において、固定枠の各側辺部に対して本体枠の各側辺部を保持する保持部材と、を有し、保持部材は、固定枠及び本体枠の何れか一方の側辺部に設けられて、当該側辺部の延在方向に向けて延びる棒状部材と、固定枠及び本体枠の何れか他方の側辺部に設けられて、当該側辺部から固定枠及び本体枠の何れか一方側に向けて延びる一対のアーム部により、固定枠及び本体枠の何れか一方側から棒状部材を保持する捕捉部材と、を備えることを特徴とする。
【０００８】
本発明に係る照明装置によれば、光源の下方に設置された固定枠の下方に、透光部材により覆われた本体枠が配置されているため、光源から照射された光は、透光部材を透過して下方に照射される。また、一方辺部側に配置された第１の連結杆及び第２の連結杆で構成されるヒンジにより固定枠と本体枠とが連結されているため、この連結部分を軸として本体枠を回動させることにより固定枠に対して本体枠を開閉することができ、光源の交換などの保守点検を容易に行うことができる。そして、固定枠に対して本体枠を閉じると、開閉係止留具により、本体枠の一方辺部が固定枠の一方辺部に係止されるとともに、保持部材により、本体枠の各側辺部が固定枠の各側辺部により保持され、しかも、保持部材は、一方辺部の近傍に配置されているため、本体枠が、開閉係止留具と保持部材とによりバランスよく保持される。これにより、第１の連結杆及び第２の連結杆により構成されるヒンジを用いることにより生じる本体枠の垂れ下がりを防止することができる。更に、固定枠に対して本体枠を閉じると、固定枠及び本体枠の何れか他方に設けられた捕捉部材により、固定枠及び本体枠の何れか一方に設けられた棒状部材が、固定枠及び本体枠の何れか一方側から保持されるため、本体枠の垂れ下がりを確実に防止することができる。
【０００９】
この場合、上記棒状部材は、他方辺部側から片持ち支持されて一方辺部側に向けて延びることが好ましい。このように構成することで、棒状部材の一方辺部側は自由端となるため、固定枠に対して本体枠を回動させて開閉する際に、棒状部材を支持する部材に捕捉部材が衝突するのを防止することができる。これにより、本体枠を開閉する作業を円滑にすることができる。
【００１０】
一方、上記一対のアーム部は、固定枠及び本体枠の何れか他方側に向けて延び、棒状部材の直径と略同じ間隔、又は、棒状部材の直径よりも狭い間隔をあけて配置される一対の側壁部と、各側壁部の先端縁に形成されて、固定枠及び本体枠の何れか他方側に向けて互いの間隔が狭まる一対の保持部と、各保持部の先端縁に形成されて、固定枠及び本体枠の何れか他方側に向けて互いの間隔が広がる一対の受部と、を備えることが好ましい。
【００１１】
このように、捕捉部材の一対のアーム部に、固定枠及び本体枠の何れか他方側に向けて互いの間隔が狭まる形状の一対の保持部を形成することで、棒状部材を固定枠及び本体枠の何れか一方側から確実に保持することができるとともに、固定枠に対して本体枠を回動させて開ける場合に、棒状部材により一対のアーム部を押し広げやすくすることができる。また、各保持部の先端縁に、固定枠及び本体枠の何れか他方側に向けて互いの間隔が広がる形状の一対の受部を形成することで、固定枠に対して本体枠を回動させて閉める場合に、棒状部材を一対の受部に第一次的に当接させることができるとともに、棒状部材により一対のアーム部を押し広げやすくすることができる。このように、棒状部材により一対のアーム部を円滑に押し広げることができるため、本体枠の開閉作業を円滑にすることができる。更に、一対の側壁部の間隔を棒状部材の直径と略同じとすることで、棒状部材が各側壁部に当接されるため、本体枠のガタツキを防止することができる。一方、一対の側壁部の間隔を棒状部材の直径よりも狭くすることで、棒状部材が各側壁部に挟み込まれるため、本体枠の垂れ下がり方向だけでなく、一対の側壁部による棒状部材の挟み込み方向や棒状部材の延在方向に対しても、本体枠のガタツキを防止することができる。
【００１２】
そして、棒状部材は、固定枠及び本体枠の何れか一方の幅内に収まる寸法であり、捕捉部材は、固定枠及び本体枠の何れか他方の幅内に収まる寸法であることが好ましい。このように、棒状部材及び捕捉部材を固定枠及び本体枠の幅内に収めることで、本体枠の下方から見上げた場合に、本体枠で棒状部材及び捕捉部材を隠すことができる。このため、光源から照射された光を、棒状部材及び捕捉部材により遮ることなく本体枠を覆う透光部材から照射させることができる。これにより、照明装置の意匠性を低下させることなく、本体枠の垂れ下がりを防止することができる。
【００１３】
また、上記ヒンジは、第１の連結杆及び第２の連結杆が一体的に連結されて固定枠に固定される第１の接続部材と、第１の連結杆及び第２の連結杆が一体的に連結されて本体枠に固定される第２の接続部材と、を更に備え、棒状部材は、第１の接続部材及び第２の接続部材の何れか一方に取り付けられるとともに、第１の接続部材及び第２の接続部材の何れか一方の幅内に収まる寸法であり、捕捉部材は、第１の接続部材及び第２の接続部材の何れか他方に取り付けられるとともに、第１の接続部材及び第２の接続部材の何れか他方の幅内に収まる寸法であることが好ましい。
【００１４】
このように構成することで、第１の連結杆及び第２の連結杆は、第１の接続部材及び第２の接続部材を介して固定枠及び本体枠に連結される。そして、第１の連結杆及び第２の連結杆が第１の接続部材及び第２の接続部材に一体的に連結されているため、固定枠に対する本体枠の連結作業を簡略化することができる。更に、棒状部材及び捕捉部材を第１の接続部材及び第２の接続部材の幅内に収めることで、本体枠の下方から見上げた場合に、第１の接続部材及び第２の接続部材で棒状部材及び捕捉部材を隠すことができる。このため、光源から照射された光を、棒状部材及び捕捉部材により遮ることなく本体枠を覆う透光部材から照射させることができる。なお、第１の接続部材及び第２の接続部材を本体枠の内側から隠すことで、光源から照射された光を、第１の接続部材及び第２の接続部材によっても遮ることなく本体枠を覆う透光部材から照射させることができる。これにより、照明装置の意匠性を低下させることなく、本体枠の垂れ下がりを防止することができる。
【００１５】
そして、捕捉部材は、鋼製の板状部材を屈曲して形成したものであることが好ましい。このように構成することで、捕捉部材に適度なバネ性を持たせることができるため、捕捉部材による棒状部材の保持力を適切に保ちつつ、棒状部材と捕捉部材との脱着を適度な力で行うことができる。
【発明の効果】
【００１６】
本発明によれば、本体枠の垂れ下がりを防止することができる。
【図面の簡単な説明】
【００１７】
【図１】本実施形態に係る照明装置を天井に設けた状態の概略斜視図であり、(ａ)は、照明カバーが閉じられた状態を示しており、(ｂ)は、照明カバーが空かれた状態を示している。
【図２】本実施形態に係る照明装置の概略下面図である。
【図３】図２に示したＩＩＩ−ＩＩＩ線断面図である。
【図４】図２に示したＩＶ−ＩＶ線から見た照明装置の側面図である。
【図５】図２に示した矢印Ｖ方向から見た拡大図である。
【図６】図４に示す照明装置の一部拡大図である。
【図７】保持部材の斜視図である。
【図８】捕捉部材に棒状部材が保持された状態の保持部材を示す図であり、（ａ）は、保持部材の正面図、（ｂ）は、保持部材の側面図である。
【図９】照明装置の照明カバーが閉められた状態を示した図である。
【図１０】照明装置の照明カバーが少し開いた状態を示した図である。
【図１１】照明装置の照明カバーが完全に開いた状態を示した図である。
【発明を実施するための形態】
【００１８】
以下、図面を参照して、本発明に係る照明装置の好適な実施形態について詳細に説明する。なお、全図中、同一または相当部分には同一符号を付し、重複する説明を省略する。
【００１９】
図１は、本実施形態に係る照明装置を天井に設けた状態の概略斜視図であり、図１(ａ)は、照明カバーが閉じられた状態を示しており、図１(ｂ)は、照明カバーが空かれた状態を示している。図２は、本実施形態に係る照明装置の概略下面図である。図３は、図２に示したＩＩＩ−ＩＩＩ線断面図である。図４は、図２に示したＩＶ−ＩＶ線から見た照明装置の側面図である。
【００２０】
図１に示すように、本実施形態に係る照明装置１は、システム天井（グリッド天井）などの天井面に配置されるものである。そして、この照明装置１は、開閉可能になっており、照明装置１内に配置された光源の交換や、照明装置１のメンテナンスが容易に行えるようになっている。なお、この照明装置１が設けられる空間の面照明を実現するために、所定数の照明装置１が隣接して天井面に配置される。
【００２１】
図２〜図４に示すように、照明装置１は、光源２と、固定枠３と、照明カバー４と、ヒンジ５と、ラッチ機構６と、棒状部材２０及び捕捉部材３０で構成される保持部材７と、を有する。
【００２２】
光源２は、照明のための光を発するためのものであり、例えば蛍光管などにより構成される。この光源２は、天井１０に多数配列されており、各照明装置１に、１又は複数個の光源２が対応付けられている。
【００２３】
固定枠３は、天井１０に固定されて、光源２が発する光を通すための開口を有する枠である。固定枠３は、矩形の枠体であり、前枠部３ａと、この前枠部３ａに対向する後枠部３ｂと、前枠部３ａの端部と後枠部３ｂの端部とに接続される一対の横枠部３ｃ及び横枠部３ｄとにより構成される。なお、前枠部３ａは、固定枠３の一方辺部に対応し、後枠部３ｂは、固定枠３の他方辺部に対応し、横枠部３ｃ及び横枠部３ｄは、固定枠３の側辺部に対応する。そして、固定枠３を構成する前枠部３ａ、後枠部３ｂ、横枠部３ｃ及び横枠部３ｄの下面は、それぞれ水平面と平行な面一の平面状に形成されている。なお、固定枠３は、取付部材９を介して天井１０に取り付けられている（吊持されている）が、他の手段により天井１０に取り付けられてもよい。
【００２４】
照明カバー４は、固定枠３の下方に配置されるとともに、光源２を覆うように配置されている。この照明カバー４は、本体枠１１と、裏側光拡散部材１２と、表側光拡散部材１３とを有する。
【００２５】
本体枠１１は、光源２が発する光を通すための開口を有する枠である。本体枠１１は、矩形の枠体であり、前枠部１１ａと、この前枠部に対向する後枠部１１ｂと、前枠部１１ａの端部と後枠部１１ｂの端部とに接続される一対の横枠部１１ｃ及び横枠部１１ｄとにより構成される。なお、前枠部１１ａは、本体枠１１の一方辺部に対応し、後枠部１１ｂは、本体枠１１の他方辺部に対応し、横枠部１１ｃ及び横枠部１１ｄは、本体枠１１の側辺部に対応する。この本体枠１１は、固定枠３に対向配置されており、固定枠３の前枠部３ａの下方に本体枠１１の前枠部１１ａが、固定枠３の後枠部３ｂの下方に本体枠１１の後枠部１１ｂが、固定枠３の横枠部３ｃの下方に本体枠１１の横枠部１１ｃが、固定枠３の横枠部３ｄの下方に本体枠１１の横枠部１１ｄが、それぞれ対応して配置されている。そして、本体枠１１を構成する前枠部１１ａ、後枠部１１ｂ、横枠部１１ｃ及び横枠部１１ｄの下面は、本体枠１１が閉じられたときに、それぞれ水平面と平行な面一の平面状に形成されている。
【００２６】
本体枠１１における開口の光源２側の端部は、裏側光拡散部材１２で覆われており、この開口の光源２と反対側の他端部は、表側光拡散部材１３で覆われている。従って、光源２から発せられた光は、本体枠１１の開口を通る際に裏側光拡散部材１２及び表側光拡散部材１３を透過する。
【００２７】
裏側光拡散部材１２は、透光性及び光拡散性を有するシート状の部材であり、本体枠１１の開口の光源２側端部を覆うように本体枠１１に取り付けられている。裏側光拡散部材１２は、例えば、ねじを用いた螺合や、両面テープを用いた貼付などにより、本体枠１１に取り付けられる（図示せず）。
【００２８】
この裏側光拡散部材１２は、全光線透過率が８０％以上であることが好ましい。全光線透過率を８０％以上とすることで、光源２から発せられた光が裏側光拡散部材１２を通過しても、照明装置として十分な光量を確保することができる。
【００２９】
また、裏側光拡散部材１２は、光拡散性を有し、ヘーズ値が７０％以上であることが好ましい。ヘーズ値を７０％以上とすることで、光源２からの光が十分に拡散されるので、照明カバー４と光源２との間に入り込んだ虫等の影や光源２の形状などが下方から視認されづらくなり、照明装置の美観が維持されると共に、むらのない一様な面照明が実現される。
【００３０】
なお、裏側光拡散部材１２は、合成樹脂製のシートでもよいが、ガラス繊維シートからなることが好ましい。ガラス繊維シートは、ガラス繊維織物及びガラス繊維織物を被覆する樹脂被覆層を有する。裏側光拡散部材１２がガラス繊維シートからなる場合には、ガラス繊維シートは不燃性を有するので、照明装置１の防火性能が向上する。
【００３１】
表側光拡散部材１３は、透光性及び光拡散性を有するシート状の部材であり、本体枠１１の開口の光源２側と反対側の他端部を覆うように本体枠１１に取り付けられている。表側光拡散部材１３は、ねじを用いて本体枠１１に取り付けられている（図示せず）。
【００３２】
この表側光拡散部材１３は、全光線透過率は４０％以上であることが好ましい。全光線透過率を４０％以上とすることで、光源２から発せられた光が表側光拡散部材１３を通過しても、照明装置として十分な光量を確保することができる。なお、照明装置として十分な光量を得るために、第２の光拡散部材の全光線透過率は５０％以上であることがさらに好ましい。
【００３３】
また、表側光拡散部材１３は光拡散性を有し、ヘーズ値が８０％以上であることが好ましい。ヘーズ値を８０％以上とすることで、光源２と表側光拡散部材１３との距離が短くても、照明カバー４と光源２との間に入り込んだ虫等の影や光源２の形状などが下方から視認されづらくなり、照明装置の美観が維持されると共に、むらのない一様な面照明が実現される。
【００３４】
そして、表側光拡散部材１３に用いられるガラス繊維シートは、ガラス繊維織物及び樹脂被覆層からなり、ガラス繊維織物は樹脂被覆層により被覆されている。
【００３５】
このガラス繊維織物は、ガラス繊維束を製織して得られ、例えば、経糸及び緯糸が平織りされて形成される。製織方法としては、平織りに限られず、例えば二重織り、朱子織り及び綾織等が採用される。光拡散部材としてのガラス繊維シートの光拡散性、透光性、引張り強度の観点から、ガラス繊維織物の単位面積あたりの質量は、１００〜３００ｇ／ｍ２であることが好ましく、厚さは１００〜３００μｍであることが好ましい。また、ガラス繊維織物の通気度は１０ｃｍ３／ｃｍ２／ｓｅｃ以下であることが好ましい。ガラス繊維の素材であるガラスの組成は特に限定されないが、例えばＥガラスが用いられる。
【００３６】
樹脂被覆層は、ガラス繊維織物に樹脂組成物を含浸して固化させることにより、ガラス繊維織物の経糸及び緯糸を覆うように形成された層である。樹脂被覆層の形成のための好ましい第一の態様として、中空ガラスビーズを含むフッ素樹脂またはシリコーン樹脂の樹脂組成物をガラス繊維織物に含浸してシート化することを挙げることができる。これらの樹脂組成物を用いることにより、ガラス繊維シートの透光性及び光拡散性を調整可能とすると共に、不燃性を向上させることができる。また、樹脂被覆層の樹脂組成物として、ポリ塩化ビニル樹脂、ビニルエステル樹脂、アクリル樹脂、ポリウレタン樹脂、ポリエステル樹脂、ポリエチレン樹脂及びポリプロピレン樹脂等を用いることが可能である。なお、この場合、光拡散性・透光性・難燃性の観点から、樹脂組成物の単位面積当たりの質量は５０〜３００ｇ／ｍ２が好ましい。
【００３７】
さらに、樹脂被覆層の形成のための好ましい第二の態様として、ガラス繊維織物のガラス組成の屈折率とほぼ等しい屈折率を有する樹脂をガラス繊維織物に含浸してシート化し、その表面の片面または両面にビーズ層を更に設けることにより樹脂被覆層を形成することを挙げることができる。この場合樹脂としてポリ塩化ビニル樹脂やビニルエステル樹脂が好ましい。ビーズ層は、多数の微細なビーズをポリ塩化ビニル樹脂、ビニルエステル樹脂、アクリル樹脂などの樹脂に混ぜ合わせて十分に分散させた後に、このビーズ入り樹脂の被膜が形成された層である。ビーズ層に分散された多数のビーズは、ガラス繊維シートに入射された光を高い割合で拡散して、ガラス繊維シートの光拡散性を高め、光源と反対側のビーズ層はグレア防止性を発揮する。ビーズの形状は、例えば球状であり、ビーズの粒子径は、例えば１〜３０μｍ程度の微細なものであることが好ましい。ビーズの材料は、例えばシリカといった無機物やアクリルといった有機物等である。この場合、光拡散性・透光性・難燃性の観点から、樹脂被覆層の単位面積当たりの樹脂量は５０〜３００g／ｍ２であることが好ましい。
【００３８】
一方、裏側光拡散部材１２に用いられるガラス繊維シートは、表側光拡散部材１３に用いられるガラス繊維シートと同様に、ガラス繊維織物及び樹脂被覆層からなり、ガラス繊維織物は、樹脂被覆層により被覆されていることが好ましい。この場合、光拡散性や透光性の観点からガラス繊維織物の単位面積当たりの質量は５０〜２００ｇ／ｍ２であることが好ましく、また樹脂被覆層は上記表側光拡散部材１３における第二の態様により形成されたものであることが好まししく、光拡散性・透光性・難燃性の観点から、樹脂被覆層の単位面積当たりの樹脂量は３０〜２００g／ｍ２が好ましい。
【００３９】
ヒンジ５は、固定枠３と本体枠１１とを連結するものであり、固定枠３に対して照明カバー４を開閉可能とするものである。ヒンジ５は、２組一対で構成されており、固定枠３の横枠部３ｃと本体枠１１の横枠部１１ｃとを連結するものと、固定枠３の横枠部３ｄと本体枠１１の横枠部１１ｄとを連結するもとで構成される。各ヒンジ５は、固定枠３に固定される固定枠側接続部材１４と、本体枠１１に固定される本体枠側接続部材１５と、固定枠側接続部材１４と本体枠側接続部材１５とに連結されて対をなす第１の連結杆１６及び第２の連結杆１７と、を有する。
【００４０】
固定枠側接続部材１４は、横枠部３ｃ及び横枠部３ｄにおける後枠部３ｂ側の端部（後枠部３ｂの近傍）に配置されており、ねじ止めにより横枠部３ｃ及び横枠部３ｄの下面に固定されている。この固定枠側接続部材１４は、横枠部３ｃ及び横枠部３ｄの下面にねじ止めされる固定部１４ａと、第１の連結杆１６及び第２の連結杆１７の上端部が連結される連結部１４ｂとを有する。そして、固定枠側接続部材１４は、固定部１４ａと連結部１４ｂが直角に接続されて、断面略Ｌ字状に形成されている。
【００４１】
本体枠側接続部材１５は、横枠部１１ｃ及び横枠部１１ｄにおける後枠部１１ｂ側の端部（後枠部１１ｂの近傍）に配置されており、ねじ止めにより横枠部１１ｃ及び横枠部１１ｄの上面に固定されている。この本体枠側接続部材１５は、横枠部１１ｃ及び横枠部１１ｄの上面にねじ止めされる固定部１５ａと、第１の連結杆１６及び第２の連結杆１７の下端部が連結される連結部１５ｂと、固定部１５ａにおける前枠部１１ａ側の端部が直角に屈曲して立設された立設部１５ｃと、を有する。この立設部１５ｃは、後述するように、棒状部材２０を支持するためのものであり、横枠部１１ｃ及び横枠部１１ｄの上面に対して垂直方向に立設するとともに、その面方向が、横枠部１１ｃ及び横枠部１１ｄの延在方向に向いている。なお、立設部１５ｃの幅は、横枠部１１ｃ及び横枠部１１ｄの幅以下となっている。そして、本体枠側接続部材１５は、この固定部１５ａと連結部１５ｂが直角に接続されて、断面略Ｌ字状に形成されている。
【００４２】
対をなす第１の連結杆１６及び第２の連結杆１７は、湾曲した細長い平板状に形成されており、第１の連結杆１６よりも第２の連結杆１７の方が長くなっている。この対をなす第１の連結杆１６及び第２の連結杆１７は、その上端部が固定枠側接続部材１４の連結部１４ｂに回動自在に連結されており、その下端部が本体枠側接続部材１５の連結部１５ｂに回動自在に連結されている。
【００４３】
このように、第１の連結杆１６及び第２の連結杆１７が固定枠側接続部材１４及び本体枠側接続部材１５に一体的に連結されたヒンジ５により固定枠３に対して本体枠１１を連結するため、固定枠３に対する本体枠１１の連結作業を簡略化することができる。
【００４４】
ここで、図９〜図１１を参照して、ヒンジ５の動作について説明する。図９は、照明装置の照明カバーが閉められた状態を示した図であり、図１０は、照明装置の照明カバーが少し開いた状態を示した図であり、図１１は、照明装置の照明カバーが完全に開いた状態を示した図である。
【００４５】
上述したように、ヒンジ５の第１の連結杆１６及び第２の連結杆１７は、それぞれ固定枠側接続部材１４及び本体枠側接続部材１５に回転自在に連結されている。このため、図９〜図１１に示すように、第１の連結杆１６及び第２の連結杆１７と固定枠側接続部材１４及び本体枠側接続部材１５との連結部分を軸として本体枠１１を回動させることにより、照明カバー４の開閉が可能となる。そして、第１の連結杆１６は第２の連結杆１７よりも短いため、本体枠１１は、鉛直方向に上下動しながら回転する。このため、照明カバー４を開いていくと、本体枠１１が固定枠３に対して鉛直方向下方に移動しながら回転する。そして、固定枠３の後枠部３ｂから離れるに従い固定枠３と本体枠１１との距離が広がり、最終的に、本体枠１１が９０°回転した状態となる。一方、照明カバー４を閉じていくと、本体枠１１が固定枠３に対して鉛直方向上方に移動しながら回転する。そして、固定枠３の後枠部３ｂから離れるに従い固定枠３と本体枠１１との距離が狭まり、本体枠１１が固定枠３と平行になる。
【００４６】
図２及び図３に示すように、ラッチ機構６は、固定枠３に対して照明カバー４を脱着可能に係止するものである。ラッチ機構６は、２組一対で構成されており、固定枠３の横枠部３ｃに対して照明カバー４における本体枠１１の横枠部１１ｃを係止（ラッチ）するものと、固定枠３の横枠部３ｄに対して照明カバー４における本体枠１１の横枠部１１ｄを係止（ラッチ）するものとで構成されている。各ラッチ機構６は、横枠部３ｃ及び横枠部１１ｃにおける前枠部３ａ側及び前枠部１１ａ側の端部（前枠部３ａ及び前枠部１１ａの近傍）に配置されている。そして、ラッチ機構６は、係止フック６ａ、レバー部材６ｂ、フック保持部６ｃ及び係止ロッド６ｄを有する。係止フック６ａは、係止ロッド６ｄに係止するものであり、フック保持部６ｃに保持された軸を中心として回動可能に連結されており、レバー部材６ｂを操作することにより回動される。フック保持部６ｃは、係止フック６ａを回動させるための軸を保持する部材であり、本体枠１１の上面に取り付けられている。係止ロッド６ｄは、固定枠３の下面に取り付けられたＵ字状の部材である。レバー部材６ｂを操作して係止フック６ａのフック部を係止ロッド６ｄに係止することによりラッチ機構６がロックされて、照明カバー４を閉じた状態に保持することができる。また、レバー部材６ｂを操作して係止フック６ａのフック部を係止ロッド６ｄから外すことによりラッチ機構６が解除されて、本体枠１１は回動可能となり照明カバー４を開くことが可能となる。
【００４７】
図２〜図４に示すように、保持部材７は、固定枠３に対して照明カバー４を脱着可能に保持するものである。保持部材７は、２組一対で構成されており、固定枠３の横枠部３ｃに対して照明カバー４における本体枠１１の横枠部１１ｃを保持するものと、固定枠３の横枠部３ｄに対して照明カバー４における本体枠１１の横枠部１１ｄを保持するもとで構成されている。各保持部材７は、固定枠３側に取り付けられる棒状部材２０と、本体枠１１側に取り付けられる捕捉部材３０と、を有する。
【００４８】
図５は、図２に示した矢印Ｖ方向から見た拡大図であり、図６は、図４に示す照明装置の一部拡大図であり、図７は、保持部材の斜視図であり、図８は、捕捉部材に棒状部材が保持された状態の保持部材を示す図であり、図８（ａ）は、保持部材の正面図、図８（ｂ）は、保持部材の側面図である。なお、図６では、照明カバー４の裏側光拡散部材１２と表側光拡散部材１３の図示を省略している。そして、以下の説明では、図７及び図８に示すように、捕捉部材３０に棒状部材２０が保持された状態において、棒状部材２０の突出方向をＸ軸方向、立設部１５ｃの立設方向をＺ軸方向、Ｘ軸方向及びＺ軸方向に対して直交する方向をＹ軸方向として説明する。
【００４９】
図５〜図８に示すように、棒状部材２０は、捕捉部材３０により脱着可能に保持（捕捉、キャッチ）されるものである。この棒状部材２０は、ステンレス鋼（ＳＵＳ）などの金属で構成されており、ネジ止めなどにより本体枠側接続部材１５の立設部１５ｃに固定されている。このため、棒状部材２０は、本体枠側接続部材１５と同様に、横枠部１１ｃにおける後枠部１１ｂ側の端部（後枠部１１ｂの近傍）に配置されている。
【００５０】
この棒状部材２０は、本体枠側接続部材１５の立設部１５ｃに片持ち支持されており、その先端が自由端となっている。そして、棒状部材２０は、この立設部１５ｃに対して垂直な方向であって、横枠部１１ｃ及び横枠部１１ｄの延在方向と平行な方向（Ｘ軸方向）に向けて突出している。
【００５１】
棒状部材２０のＸ軸方向における突出長さａは、１５ｍｍ〜６０ｍｍであることが好ましい。この突出長さａを１５ｍｍよりも短くすると、棒状部材２０が短すぎるため、捕捉部材３０の一対の受部３２ｄで棒状部材２０を受けることができなくなり、捕捉部材３０が棒状部材２０の先端に衝突して照明カバー４が閉まらなくなる。一方、棒状部材の突出長さａを６０ｍｍよりも長くすると、棒状部材が長すぎるため、ヒンジとの干渉や本体枠の重量が増大して、照明カバー４の開閉作業性が低下する。このため、棒状部材２０の突出長さａを１５ｍｍ〜６０ｍｍの範囲とすることで、本体枠１１の開閉を確実に行わせ、かつ、照明カバー４の開閉作業性を向上させることができる。
【００５２】
棒状部材２０の直径ｂは、５ｍｍ〜２０ｍｍであることが好ましい。棒状部材２０の直径ｂを５ｍｍよりも狭くすると、捕捉部材３０の当接により棒状部材２０が破損する可能性がある。一方、棒状部材２０の直径ｂを２０ｍｍよりも太くすると、この棒状部材２０を支持する立設部１５ｃのＹ軸方向における幅ｈや捕捉部材３０のＹ軸方向における最大幅ｇが広くなりすぎ、保持部材７が固定枠３の横枠部３ｃ及び横枠部３ｄや本体枠１１の横枠部１１ｃ及び横枠部１１ｄからはみ出る可能性がある。このため、棒状部材２０の直径ｂを５ｍｍ〜２０ｍｍの範囲とすることで、棒状部材２０を破損させること無く、保持部材７の小型化を図ることができる。
【００５３】
そして、棒状部材２０の直径ｂ及び立設部１５ｃのＹ軸方向における幅ｈは、横枠部１１ｃ及び横枠部１１ｄの幅内、又は、本体枠側接続部材１５の幅内に収めることが好ましい。
【００５４】
捕捉部材３０は、棒状部材２０を脱着可能に下方から保持（捕捉、キャッチ）するものである。捕捉部材３０は、ステンレス鋼（ＳＵＳ３０４）などの金属で構成されている。この捕捉部材３０は、固定枠側接続部材１４と重ね合わされた状態でネジ止めなどにより横枠部３ｃ及び横枠部３ｄの上面に固定されており、照明カバー４が閉じられたときに、棒状部材２０の真上となる位置に配置されている。このため、捕捉部材３０は、固定枠側接続部材１４と同様に、横枠部３ｃにおける後枠部３ｂ側の端部（後枠部３ｂの近傍）に配置されており、照明カバー４が閉じられることで、棒状部材２０を保持することが可能となっている。
【００５５】
この捕捉部材３０は、下方に向けて開放された断面略コ字状を有しており、横枠部３ｃ及び横枠部３ｄの上面に固定される固定部３１と、固定部３１の両端縁に接続されて下方に垂下する一対のアーム部３２と、を有する。この一対のアーム部３２は、Ｚ軸方向において下方に延びており、照明カバー４が閉じられた状態において、固定部３１から本体枠１１側に向けて延びている。そして、各アーム部３２には、固定部３１の両端縁に接続されて断面略Ｓ字状に湾曲しながら下方に向かって狭まる一対の湾曲部３２ａと、各湾曲部３２ａの下縁に接続されて直線状に下方に延びる一対の側壁部３２ｂと、各側壁部３２ｂの下縁に接続されて下方に向かって狭まる一対の保持部３２ｃと、各保持部３２ｃの下縁に接続されて下方に向けて広がる一対の受部３２ｄとが形成されている。
【００５６】
固定部３１は、固定枠側接続部材１４に重ね合わせて横枠部３ｃ及び横枠部３ｄの上面に固定される部位である。このため、固定部３１は、固定枠側接続部材１４に対して密着するように、矩形の平板状に形成されている。
【００５７】
一対の湾曲部３２ａは、一対のアーム部３２が弾性変形により広げられた場合に、この一対のアーム部３２を元の位置に復元させるための付勢力を加える部位である。このため、一対の湾曲部３２ａは、一対の側壁部３２ｂを外側から押さえ込むように断面略Ｓ字状に形成されている。
【００５８】
一対の側壁部３２ｂは、棒状部材２０の外周面を挟み込む部位である。この一対の側壁部３２ｂは、矩形の平板状に形成されており、互いに略平行となるように対向配置されている。
【００５９】
この一対の側壁部３２ｂのうち一方の側壁部３２ｂには、他方の側壁部３２ｂに向けて貫通されたネジ穴が形成されており、このネジ穴に、一対の側壁部３２ｂの間隔を調整するための間隔調整ネジ３３がねじ込まれている。間隔調整ネジ３３は、このネジ穴にねじ込まれて他方の側壁部３２ｂの内壁を押圧することで、一方の側壁部３２ｂと他方の側壁部３２ｂとの間隔を調整することが可能となっている。そして、間隔調整ネジ３３のねじ込み量の調整により、一方の側壁部３２ｂと他方の側壁部３２ｂとの間隔ｄが、棒状部材２０の直径ｂと同じ寸法、又は、棒状部材２０の直径ｂよりも僅かに狭い寸法に調整されている。
【００６０】
一対の保持部３２ｃは、本体枠１１が降下するのを防止するために棒状部材２０を下方から保持する部位である。一対の保持部３２ｃは、各側壁部３２ｂの下縁から下方に向けて互いに近接するように配置されている。このため、一対の保持部３２ｃは、下方に向けて互いの間隔が狭まっており、その下端部では、棒状部材２０の直径よりも狭い間隔となっている。また、一対の保持部３２ｃは、棒状部材２０の外形に沿った湾曲状に形成されている。
【００６１】
そして、一対の保持部３２ｃのＹ軸方向における最も狭い間隔（内寸）ｅは、棒状部材２０の直径ｂに対する割合が１：０．３〜０．８の範囲であることが好ましい。この間隔ｅの割合が０．３よりも小さいと、照明カバー４の開閉の際に棒状部材２０を通り抜けさせるのが困難になる。一方、この間隔ｅの割合が０．８よりも大きいと、照明カバー４の自重や振動などにより棒状部材２０が一対の保持部３２ｃから脱落する可能性がある。このため、一対の保持部３２ｃの最も狭い間隔ｅを、棒状部材２０の直径ｂに対する割合を１：０．３〜０．８の範囲とすることで、棒状部材２０の脱着を容易に行わせつつ、棒状部材２０の脱落を防止することができる。
【００６２】
一対の受部３２ｄは、照明カバー４が閉められる際に、棒状部材２０の通るガイドになるとともに、棒状部材２０により押し広げられる部位である。一対の受部３２ｄは、各保持部３２ｃの下縁から下方に向けて互いに離間するように配置されている。このため、一対の受部３２ｄは、下方に向かって互いの間隔が広がっている。
【００６３】
そして、一対の受部３２ｄのＹ軸方向における最も広い間隔（内寸）ｆは、棒状部材２０の直径ｂに対する割合が１：０．８〜１．２の範囲であることが好ましい。この間隔ｆの割合が０．８よりも小さいと、照明カバー４の開閉の際に棒状部材２０を一対の受部３２ｄ内に入り込ませることができない。一方、この間隔ｆの割合が１．２よりも広いと、捕捉部材３０の最大幅ｇが広くなりすぎ、捕捉部材３０が固定枠３の横枠部３ｃ及び横枠部３ｄからはみ出る可能性がある。このため、一対の受部３２ｄの最も広い間隔ｆを、棒状部材２０の直径ｂに対する割合が１：０．８〜１．２の範囲とすることで、照明カバー４の開閉作業性を向上させて、保持部材７の小型化を図ることができる。
【００６４】
捕捉部材３０のＹ軸方向における最大幅ｇは、横枠部３ｃ及び横枠部３ｄの幅内、又は、固定枠側接続部材１４の幅内に収めることが好ましい。
【００６５】
そして、このように構成される捕捉部材３０においては、矩形平板のステンレス鋼板を屈曲することで、固定部３１と、湾曲部３２ａ、側壁部３２ｂ、保持部３２ｃ及び受部３２ｄが形成される一対のアーム部３２とが形成される。このように、捕捉部材３０を、ステンレス鋼板を屈曲して形成することで、捕捉部材３０に適度なバネ性を持たせることができるため、捕捉部材３０による棒状部材２０の保持力を適切に保ちつつ、棒状部材２０と捕捉部材３０との脱着を適度な力で行うことができる。
【００６６】
次に、図９〜図１１を参照しながら、照明装置１における照明カバー４の開閉動作について説明する。
【００６７】
まず、照明装置１の照明カバー４を、完全に閉じられた状態から完全に開かれた状態に移動させる場合について説明する。
【００６８】
照明装置１の照明カバー４が完全に閉じられた状態では、図９に示すように、ラッチ機構６の係止フック６ａが係止ロッド６ｄに係止されるとともに、本体枠１１に固定された棒状部材２０が、固定枠３に固定された捕捉部材３０に保持されている。これにより、照明カバー４が閉じた状態で保持されている。このとき、捕捉部材３０の一対のアーム部３２は、一対の保持部３２ｃにより棒状部材２０を下方から保持し、一対の側壁部３２ｂにより棒状部材２０を挟み込んでいる。このため、照明カバー４の本体枠１１は、鉛直方向（Ｚ軸方向）下方への降下が保持部３２ｃの保持により規制され、水平方向であるＸ軸方向（棒状部材２０の突出方向）とＹ軸方向への移動が一対の側壁部３２ｂの狭持により規制されている。
【００６９】
この状態から照明カバー４を開ける場合は、まず、ラッチ機構６のレバー部材６ｂを操作して、係止フック６ａのフック部を係止ロッド６ｄから外す。すると、本体枠１１は回動可能となり、照明カバー４を開くことが可能となる。そして、このラッチ機構６を解除した状態で照明カバー４を下方に回転させると、棒状部材２０は、一対の保持部３２ｃを押し広げながら下方に引き下げられ、更に照明カバー４を下方に回転させると、棒状部材２０が一対の保持部３２ｃを抜け出し、図１０に示すように、棒状部材２０が捕捉部材３０から完全に開放される。
【００７０】
更に照明カバー４を下方に回転させると、照明カバー４が下降しながら回転して本体枠１１の前枠部１１ａ側から開かれていき、照明カバー４が完全に開かれると、図１１に示すように、照明カバー４が固定枠３の下方において約９０°回転した状態となる。
【００７１】
次に、照明装置１の照明カバー４を、完全に開かれた状態から完全に閉じられた状態に移動させる場合について説明する。
【００７２】
照明装置１の照明カバー４が完全に開かれた状態では、図１１に示すように、照明カバー４が固定枠３の下方において約９０°回転した状態となる。
【００７３】
そして、照明カバー４を上方に回転させると、照明カバー４は、上昇しながら回転していき、図１０に示すように、棒状部材２０が捕捉部材３０の一対の受部３２ｄに当接するまで、本体枠１１の前枠部１１ａ側から閉められていく。
【００７４】
そして、更に照明カバーを上方に回転させると、棒状部材２０が、一対の受部３２ｄにガイドされて固定枠３と本体枠１１との位置合わせが行われるとともに、この一対の受部３２ｄ内に入り込み、棒状部材２０が一対の受部３２ｄを押し広げながら引き上げられる。そして、更に照明カバーを上方に回転させると、棒状部材２０が一対の受部３２ｄを抜け出し、図１１に示すように、一対のアーム部３２が元の状態に復元する。これにより、棒状部材２０は、一対の保持部３２ｃに下方から保持されるとともに、その外周面が一対の側壁部３２ｂに挟み込まれる。また、係止フック６ａが係止ロッド６ｄに係止される。これにより、照明カバー４が閉じた状態で保持される。
【００７５】
このように、本実施形態に係る照明装置１によれば、光源２の下方に設置された固定枠３の下方に、本体枠１１が裏側光拡散部材１２及び表側光拡散部材１３に覆われた照明カバー４が配置されているため、光源２から照射された光は、照明カバー４の裏側光拡散部材１２及び表側光拡散部材１３を透過して下方に照射される。また、後枠部３ｂ及び後枠部１１ｂ側に配置された第１の連結杆１６及び第２の連結杆１７で構成されるヒンジ５により固定枠３と本体枠１１とが連結されているため、この連結部分を軸として本体枠１１を回動させることにより照明カバー４を開閉することができ、光源２の交換などの保守点検を容易に行うことができる。そして、照明カバー４を閉じると、ラッチ機構６により、本体枠１１の前枠部１１ａが固定枠３の前枠部３ａに係止されるとともに、保持部材７により、本体枠１１の横枠部１１ｃ及び横枠部１１ｄが固定枠３の横枠部３ｃ及び横枠部３ｄに保持され、しかも、保持部材７は、固定枠３及び本体枠１１の後枠部３ｂ及び後枠部１１ｂ側に配置されたヒンジ５の近傍に配置されているため、本体枠１１が、ラッチ機構６と保持部材７とによりバランスよく保持される。これにより、第１の連結杆１６及び第２の連結杆１７により構成されるヒンジ５を用いることにより生じる本体枠１１の垂れ下がりを防止することができる。更に、固定枠３に対して本体枠１１を閉じると、固定枠３に設けられた捕捉部材３０により、本体枠１１に設けられた棒状部材２０が下方から保持されるため、本体枠１１の垂れ下がりを確実に防止することができる。
【００７６】
また、棒状部材２０を立設部１５ｃにより片持ち支持することで、棒状部材２０の後枠部１１ｂ側の先端が自由端となるため、固定枠３に対して本体枠１１を回動させて照明カバー４を開閉する際に、捕捉部材３０が棒状部材２０を支持する部材に衝突するのを回避することができ、照明カバー４の開閉作業を円滑にすることができる。
【００７７】
また、捕捉部材３０の一対のアーム部３２に、固定枠３から本体枠１１に向けて（下方に向けて）互いの間隔が狭まる形状の一対の保持部３２ｃを形成することで、棒状部材２０を下方から確実に保持することができるとともに、照明カバー４を開ける場合に、棒状部材２０により一対のアーム部３２を押し広げやすくすることができる。また、各保持部３２ｃの先端縁に、固定枠３から本体枠１１に向けて（下方に向けて）互いの間隔が広がる形状の一対の受部３２ｄを形成することで、照明カバー４を閉める場合に、棒状部材２０を一対の受部３２ｄに第一次的に当接させることができるとともに、棒状部材２０により一対のアーム部３２を押し広げやすくすることができる。このように、棒状部材２０により一対のアーム部３２を円滑に押し広げることができるため、照明カバー４の開閉作業を円滑にすることができる。
【００７８】
そして、一対の側壁部３２ｂの間隔を棒状部材２０の直径ｂと略同じとすることで、棒状部材２０が各側壁部３２ｂに当接されるため、本体枠１１のガタツキを防止することができる。一方、一対の側壁部３２ｂの間隔を棒状部材２０の直径ｂよりも狭くすることで、棒状部材２０が各側壁部３２ｂに挟み込まれるため、本体枠１１の垂れ下がり方向だけでなく、一対の側壁部３２ｂによる棒状部材２０の挟み込み方向や棒状部材２０の延在方向に対しても、本体枠１１のガタツキを防止することができる。
【００７９】
また、棒状部材２０及び捕捉部材３０を、固定枠３及び本体枠１１の幅内、又は、固定枠側接続部材１４及び本体枠側接続部材１５の幅内に収めることで、照明カバー４の下方から見上げた場合に、固定枠３及び本体枠１１、又は、固定枠側接続部材１４及び本体枠側接続部材１５で棒状部材２０及び捕捉部材３０を隠すことができる。このため、光源２から照射された光を、棒状部材２０及び捕捉部材３０により遮ることなく表側光拡散部材１３から照射させることができる。これにより、照明装置１の意匠性を低下させることなく、本体枠１１の垂れ下がりを防止することができる。
【００８０】
なお、固定枠側接続部材１４及び本体枠側接続部材１５を本体枠１１の内側から隠すことで、光源２から照射された光を、固定枠側接続部材１４及び本体枠側接続部材１５によっても遮ることなく表側光拡散部材１３から照射させることができる。これにより、照明装置１の意匠性を向上させることができる。
【００８１】
以上、本発明の好適な実施形態について説明したが、本発明は上記実施形態に限定されるものではなく、種々の変形が可能である。例えば、上記実施形態において、棒状部材２０は本体枠１１側に固定され、捕捉部材３０は固定枠３側に固定されるものとして説明したが、棒状部材２０と捕捉部材３０の固定位置は入れ替えてもよい。この場合、本体枠１１側に固定された捕捉部材３０が、固定枠３側に固定された棒状部材２０を固定枠３側から保持することができるため、上記と同様の作用効果を奏する。
【００８２】
また、上記実施形態において、捕捉部材３０の一対のアーム部３２には、それぞれ湾曲部３２ａ、側壁部３２ｂ、保持部３２ｃ及び受部３２ｄが形成されるものとして説明したが、棒状部材２０を下方から保持することができる形状であれば如何なる形状であってもよく、例えば、側壁部３２ｂ及び保持部３２ｃのみが形成されるものであってもよい。
【符号の説明】
【００８３】
１…照明装置、２…光源、３…固定枠、３ａ…前枠部、３ｂ…後枠部、３ｃ…横枠部、３ｄ…横枠部、４…照明カバー、５…ヒンジ、６…ラッチ機構、６ａ…係止フック、６ｂ…レバー部材、６ｃ…フック保持部、６ｄ…係止ロッド、７…保持部材、９…取付部材、１０…天井、１１…本体枠、１１ａ…前枠部、１１ｂ…後枠部、１１ｃ…横枠部、１１ｄ…横枠部、１２…裏側光拡散部材（透光部材）、１３…表側光拡散部材（透光部材）、１４…固定枠側接続部材（第１の接続部材）、１４ａ…固定部、１４ｂ…連結部、１５…本体枠側接続部材（第２の接続部材）、１５ａ…固定部、１５ｂ…連結部、１５ｃ…立設部、１６…第１の連結杆、１７…第２の連結杆、２０…棒状部材、３０…捕捉部材、３１…固定部、３２…アーム部、３２ａ…湾曲部、３２ｂ…側壁部、３２ｃ…保持部、３２ｄ…受部、３３…間隔調整ネジ。
【図１】
0005402399.tif 000002
【図２】
0005402399.tif 000003
【図３】
0005402399.tif 000004
【図４】
0005402399.tif 000005
【図５】
0005402399.tif 000006
【図６】
0005402399.tif 000007
【図７】
0005402399.tif 000008
【図８】
0005402399.tif 000009
【図９】
0005402399.tif 000010
【図１０】
0005402399.tif 000011
【図１１】
0005402399.tif 000012